【手続補正書】
【提出日】平成16年2月4日(2004.2.4)
【手続補正１】
【補正対象書類名】特許請求の範囲
【補正対象項目名】全文
【補正方法】変更
【補正の内容】
【特許請求の範囲】
【請求項１】
少なくとも１個の移動物体をモニタする方法であって、
前記方法は：
それぞれの変調周波数で変調された１個以上の光信号を生成する工程と；
前記移動物体の経路に沿って前記光信号を送信する工程と；
前記１個以上の変調周波数で実質的にモニタすることにより、前記物体の移動による１個以上の受信された信号の生成および破壊のうちの少なくとも1個を検出する工程と；
前記検出に基づいて前記物体の少なくとも1個のパラメータを決定する工程とを備える
ことを特徴とする方法。
【請求項２】
前記物体の移動により、各々の受信した信号の変調スペクトルの変化を検出する工程をさらに備えること特徴とする請求項１に記載の方法。
【請求項３】
前記生成工程が、前記物体の移動方向に沿って相互に間隔を置いた第１および第２の場所のそれぞれで第１および第２の光信号を生成する工程を備え、
前記検出工程が、第１および第２の光信号を1個以上の検出場所で検出し、各検出場所
と前記第１の場所との間、および各検出場所と前記第２の場所との間の経路のブロッキングおよびアンブロッキングのうちの少なくとも１個を決定する工程を備えることを特徴とする請求項１に記載の方法。
【請求項４】
前記経路の前記ブロッキングおよびアンブロッキングのうちの少なくとも1個に基づい
て、前記移動方向に対して実質的に横向きに前記物体の位置を決定する工程をさらに備えることを特徴とする請求項３に記載の方法。
【請求項５】
検出された信号の各々の送信器と受信器との間の前記物体の通過により、前記検出された信号の各々に対する少なくとも１個の生成または破壊事象で時間値を関連付ける工程をさらに備え、
検出された信号の少なくとも一方が、検出された信号のうちの他方に関して実質的に傾斜し、さらに前記時間値を比較することにより、前記移動方向に対して実質的に横向きに前記物体の位置を決定する工程を備えることを特徴とする請求項３に記載の方法。
【請求項６】
検出された信号のうちの２個は、前記第１および第２の場所のうちの一方から送信され
た発散信号に対するそれぞれの受信信号に対応することを特徴とする請求項３に記載の方法。
【請求項７】
前記移動方向に対して実質的に横向きで、前記移動方向に相互に間隔を置いたそれぞれの第１および第２の送信器から送信され、第１および第２の受信器のそれぞれで受信される第１および第２の実質的に並列な信号と、
前記第１の送信器からそれぞれ送信され、前記第２の受信器で受信され、前記第２の送信器から送信され、前記第１の受信器で受信される第３および第４の信号とを備えるそれぞれの検出された信号に対して４個の生成または破壊事象とそれぞれの時間値を関連させる工程をさらに備えることを特徴とする請求項５に記載の方法。
【請求項８】
前記光信号を受信する工程と、
前記光信号をそれぞれの電気信号に変換する工程と、
前記電気信号をディジタル化する工程と、
前記ディジタル化信号をダウンコンバートして、前記移動により前記光信号の生成および破壊の少なくとも１個を表すデータを与える工程とを備えることを特徴とする請求項１に記載の方法。
【請求項９】
前記ダウンコンバートが、ディジタル直角位相増幅変調直接ダウンコンバージョンであることを特徴とする請求項８に記載の方法。
【請求項１０】
前記少なくとも１個のパラメータが、前記物体の通過を含むことを特徴とする請求項１に記載の方法。
【請求項１１】
前記少なくとも１個のパラメータが、前記物体の移動方向を含むことを特徴とする請求項１に記載の方法。
【請求項１２】
前記少なくとも１個のパラメータが、前記物体の速度を含むことを特徴とする請求項１に記載の方法。
【請求項１３】
前記少なくとも１個のパラメータが、前記物体の寸法を含むことを特徴とする請求項１に記載の方法。
【請求項１４】
前記寸法を用いて前記物体を分類することを特徴とする請求項１３に記載の方法。
【請求項１５】
前記少なくとも１個のパラメータが、前記物体の分類を含むことを特徴とする請求項１に記載の方法。
【請求項１６】
前記物体が、車両を含み、前記分類が、多数の車両形態のうちの一つに行われることを特徴とする請求項１５に記載の方法。
【請求項１７】
少なくとも１個の移動物体をモニタするためのシステムであって、
それぞれの変調周波数で変調された光信号を送信するための１個以上の送信器と、
前記光信号を受信するための１個以上の受信器とを備え、
前記１個以上の受信器の各々は、前記変調周波数に基づいて１個以上の受信された光信号を検出するようにされ、前記物体の移動により、１個以上の検出された信号の少なくとも１個の生成および破壊を検出し、前記物体の少なくとも１個のパラメータを決定するための手段を備えることを特徴とするシステム。
【請求項１８】
前記移動により各々の検出された信号の変調スペクトルの変化を検出するための手段を
備えることを特徴とする請求項１７に記載のシステム。
【請求項１９】
前記１個以上の受信器の各々は、センサと、前記光信号を電気信号に変換するための入力回路と、前記電気信号をディジタル化するためのアナログ・ディジタル（ＡＤＣ）変換器とを備え、
前記システムは、１個以上のディジタル化信号の各々を復調し、１個以上の検出された光信号の前記少なくとも１個の生成および破壊を表す出力データを与えるためのディジタル信号プロセッサ（ＤＳＰ）を備えることを特徴とする請求項１８に記載のシステム。
【請求項２０】
前記出力データがＩおよびＱ変調データのうちの少なくとも１個を含むことを特徴とする請求項１９に記載のシステム。
【請求項２１】
前記変調データに基づいて、１個以上の発信器のそれぞれの周波数を前記変調周波数にロックするための手段をさらに備えることを特徴とする請求項２０に記載のシステム。
【請求項２２】
ＡＤＣサンプリング周波数の半分に同期された少なくとも１個の切り換えモード電源をさらに備え、
前記ＤＳＰが、前記電源からのディジタル信号生成物を低減されることを特徴とする請求項１９から２１のいずれかに記載のシステム。
【請求項２３】
各入力回路が、少なくとも１個の可変共振回路および前記共振回路の共振周波数を選択された変調周波数に整合し、関連した入力雑音を最小限にし、利得全体を最大限にし、選択した変調周波数で入力インピーダンスを最小限にするための回路を含むことを特徴とする請求項１９に記載のシステム。
【請求項２４】
前記少なくとも１個の可変共振回路が、バラクタとインダクタとを並列に備えることを特徴とする請求項２３に記載のシステム。
【請求項２５】
前記可変共振回路のうちの１個が、前記センサをバイアスするために使用されるインダクタを備えることを特徴とする請求項２４に記載のシステム。
【請求項２６】
前記入力回路が、入力電極と、少なくとも1個の保護電極と、前記少なくとも1個の保護電極の電位を前記入力電極の電位と整合するためのブートストラップ回路とを備えることを特徴とする請求項２４に記載のシステム。
【請求項２７】
前記ブートストラップ回路が、増幅器と、前記入力電極に結合され、前記増幅器からの雑音を低減するための可変共振回路とを備えることを特徴とする請求項２６に記載のシステム。
【請求項２８】
前記ブートストラップ回路の前記可変共振回路が、バラクタとインダクタとを並列に備えることを特徴とする請求項２７に記載のシステム。
【請求項２９】
前記ブートストラップ回路が、前記変調周波数で、実質的に１の利得と実質的にゼロの移相とを有することを特徴とする請求項２８に記載のシステム。
【請求項３０】
前記ブートストラップ回路が、前記回路への入力を接地することにより、選択的に不能化することができることを特徴とする請求項２６に記載のシステム。
【請求項３１】
前記入力回路が、可変帰還付き信号増幅器を備えることを特徴とする請求項２８に記載のシステム。
【請求項３２】
前記可変帰還および前記少なくとも1個の可変共振回路が、前記受信器のマイクロプロ
セッサを制御して変化し、前記入力回路の安定性を維持することを特徴とする請求項３１に記載のシステム。
【請求項３３】
バイアス回路のバイアスバラクタと、請求項３２に記載のブートストラップ回路のブートストラップバラクタとを同調する方法において、
前記方法は：
（i）  ブートストラップバラクタを公称値に設定する工程と；
（ii）  ブートストラップ回路を可能化する工程と；
(iii)  バイアスバラクタを同調することにより、前記変調周波数で前記ブートストラ
ップ回路の信号増幅器のループ利得を最大化する工程と；
(iv)  前記ブートストラップ回路を不能化する工程と；
（v）  ブートストラップバラクタを同調することにより、前記変調周波数で前記信号
増幅器のループ利得を最大化する工程と；
（vi）  各バラクタに印加される同調電圧が集中するまで工程（ii）から（ｖ）を繰り返す工程とを備えることを特徴とする方法。
【請求項３４】
請求項１から１６および３３のいずれかに記載の工程を実施するための構成要素を有することを特徴とするモニタシステム。
【請求項３５】
請求項１から１６および３３のいずれかに記載の工程を実施するためのプログラムコードを記憶したコンピュータ読み出し可能記憶媒体。
【請求項３６】
前記少なくとも１個のパラメータが、前記物体の通過を含むことを特徴とする請求項１７に記載のシステム。
【請求項３７】
前記少なくとも１個のパラメータが、前記物体の移動方向を含むことを特徴とする請求項１７に記載のシステム。
【請求項３８】
前記少なくとも１個のパラメータが、前記物体の速度を含むことを特徴とする請求項１７に記載のシステム。
【請求項３９】
前記少なくとも１個のパラメータが、前記物体の寸法を含むことを特徴とする請求項１７に記載のシステム。
【請求項４０】
前記寸法を使用して前記物体を分類することを特徴とする請求項３９に記載のシステム。
【請求項４１】
前記少なくとも1個のパラメータが、前記物体の分類を含むことを特徴とする請求項１
７に記載のシステム。
【請求項４２】
前記物体が、車両を含み、前記分類は多数の車両形態のうちの１つに行われることを特徴とする請求項４１に記載のシステム。